(57)【要約】【課題】複数の記録層を有する記録可能型のディスクにおいて、各記録層でのユーザーデータの記録可能領域の最大アドレスを、記録再生装置が容易に確認できるようにする。【解決手段】例えばＤＶＤ＋Ｒ、ＤＶＤ＋ＲＷ等の記録可能型で、かつ複数の記録層を有する記録媒体において、ウォブリンググルーブによる物理フォーマット情報により、各記録層（レイヤ）のユーザーデータの記録可能領域（データゾーン）の最大アドレス（レイヤ０の最大ＰＳＮ）が記録されるようにし、記録再生装置においては、その情報によって各レイヤのデータゾーンの最大アドレスが確認できるようにする。【選択図】        図９
2005018919.tif 000002
【特許請求の範囲】
【請求項１】
データ記録が可能な複数の記録層を有するとともに、記録トラックとなるグルーブのウォブリングによって予めアドレス及び物理フォーマット情報が記録されている記録媒体において、
上記各記録層におけるユーザーデータ記録可能な最大位置情報が、上記グルーブのウォブリングによる物理フォーマット情報として記録されていることを特徴とする記録媒体。
【請求項２】
データ記録が可能な複数の記録層を有するとともに、記録トラックとなるグルーブのウォブリングによって予めアドレス及び物理フォーマット情報が記録され、さらに上記物理フォーマット情報には、上記各記録層におけるユーザーデータ記録可能な最大位置情報が記録されている記録媒体に対する記録装置として、
上記各記録層に対してデータ記録再生を行う記録再生手段と、
上記グルーブのウォブリングによるアドレス及び物理フォーマット情報を読み出すグルーブ情報読出手段と、
記録再生動作制御のために、上記グルーブ読出手段によって読み出された物理フォーマット情報から、ユーザーデータ記録可能な最大位置を確認する制御手段と、
を備えたことを特徴とする記録再生装置。
【請求項３】
上記制御手段は、ユーザーデータ記録後の所定タイミングにおいて、上記物理フォーマット情報を含む管理情報を、上記記録再生手段により上記記録媒体の所定領域に記録させるとともに、
上記管理情報に含ませる上記物理フォーマット情報の内容としての上記ユーザーデータ記録可能な最大位置情報は、実際のユーザーデータ記録状態に応じて値を変更することを特徴とする請求項２に記載の記録再生装置。
【請求項４】
データ記録が可能な複数の記録層を有するとともに、記録トラックとなるグルーブのウォブリングによって予めアドレス及び物理フォーマット情報が記録され、さらに上記物理フォーマット情報には、上記各記録層におけるユーザーデータ記録可能な最大位置情報が記録されている記録媒体に対する記録再生方法として、
上記グルーブのウォブリングによるアドレス及び物理フォーマット情報を読み出すグルーブ情報読出ステップと、
上記グルーブ読出ステップで読み出された物理フォーマット情報から、ユーザーデータ記録可能な最大位置を確認する確認ステップと、
上記確認ステップで確認されたユーザーデータ記録可能な最大位置に基づいて、記録再生動作のための所定の制御を行う制御ステップと、
を備えたことを特徴とする記録再生方法。
【請求項５】
さらに、ユーザーデータ記録後の所定タイミングにおいて、上記物理フォーマット情報を含む管理情報を上記記録媒体の所定領域に記録する管理情報記録ステップを有し、
上記管理情報記録ステップでは、上記管理情報に含ませる上記物理フォーマット情報の内容としての上記ユーザーデータ記録可能な最大位置情報は、実際のユーザーデータ記録状態に応じて値を変更することを特徴とする請求項４に記載の記録再生方法。
【発明の詳細な説明】
【０００１】
【発明の属する技術分野】
本発明は、複数の情報記録層を有しデータ記録可能とされたディスク等の記録媒体、及びその記録媒体に対応する記録再生装置、記録再生方法に関するものである。
【０００２】
【従来の技術】
【特許文献１】特開平１１−１６７７２５
光学的に情報の記録または再生が可能な光記録媒体としては、光ディスク、光カード等が知られている。これらの光記録媒体に対しては、半導体レーザ等のレーザ光を光源として用い、レンズを介して微小に集光した光ビームを照射することで、情報の記録あるいは再生を行う。
【０００３】
これら光記録媒体においては、さらに記録容量を高めるための技術開発が盛んに行われている。そして従来の光ディスクの情報記録の高密度化は、当該ディスク記録面における記録密度を上げることを主眼にしてきた。例えば記録ビームを発射する光源の短波長化や再生系の信号処理と組み合わせて、トラックピッチを詰めたり、記録及び読み取り走査における線速方向に記録密度を上げる試みがなされてきた。
【０００４】
しかしながら、光源の短波長化にしても、紫外領域までが限界であることや、ピットサイズについてはカッティングの際にディスクに転写できるサイズまでにしか縮小することができないことなどから、記録密度向上のための試みは、ディスクの２次元の領域ではいずれ限界がくるものである。
そこで大容量化の手法を３次元的に考えることも行われている。すなわちディスクの厚さ方向へ記録情報の高密度化を進めるために情報記録層を積層して形成された多層ディスクが注目されている。
【０００５】
記録層を積層した多層記録媒体は、記録層の数に応じて記録容量を倍増することが可能であり、さらに他の高密度記録技術と組み合わせることが容易であるという特徴を有する。多層記録媒体としては、すでに例えば再生専用光ディスクであるＤＶＤ（Ｄｉｇｉｔａｌ  Ｖｅｒｓａｔｉｌｅ  Ｄｉｓｃ）−ＲＯＭなどにおいて実用化されている。
例えば上記特許文献１ではＤＶＤ−ＲＯＭ等において２層の記録層とされた場合に適用できる技術が開示されている。
そして今後は、ＲＯＭタイプディスクだけではなく、相変化材料、光磁気材料、色素材料などの記録可能な記録層を積層した、記録可能な多層記録媒体の実用化が期待されている。例えばＤＶＤ方式のディスクで言えば、ＤＶＤ−Ｒ、ＤＶＤ＋Ｒなどと呼ばれるライトワンス型のディスク、或いはＤＶＤ−ＲＷ、ＤＶＤ＋ＲＷ、ＤＶＤ−ＲＡＭなどと呼ばれるリライタブル型のディスクなどでも、多層記録層の実現が想定されている。
【０００６】
【発明が解決しようとする課題】
ところで当然ながらライトワンス型或いはリライタブル型の多層記録媒体の場合、各記録層にはユーザーデータの記録が行われていくが、そのために記録装置においては、各記録層においてユーザーデータの記録可能な最大位置（ユーザーデータの記録可能領域としての最大アドレス）を確認しておく必要がある。
【０００７】
一般に、ライトワンス型或いはリライタブル型としての記録可能型のディスクの場合、ユーザーデータの記録可能領域（データゾーン）はフォーマット上設定されるが、その先頭アドレスと最大アドレスの情報はディスクに記録されている。従って記録再生装置は、その情報からデータゾーンとしての範囲を確認し、記録動作を制御できる。
【０００８】
ところが例えば２層ディスクの場合、第１層（レイヤ０）と第２層（レイヤ１）の両方にデータゾーンが存在することになり、データゾーンの先頭アドレスはレイヤ０の或るアドレス、最大アドレスはレイヤ１の或るアドレスというような状態となる。つまりレイヤ０だけを考えた場合、そのデータゾーンの最大アドレスは記録されていないものとなる。
ただし基本的には、ディスクの物理フォーマットとして最大アドレスは規定されているため、各レイヤについての最大アドレスがディスクに記録されていても、それが直接的に記録再生動作にとって不都合となることはない。つまり記録再生装置は、装填されたディスクについて、各レイヤのデータゾーンの最大アドレスはフォーマットで規定されたアドレス値として考えて動作すればよい。
【０００９】
しかしながらこのような状態は、将来的なフォーマットの変更、例えば記録容量の拡張や変更などを考えると好ましくない。
即ち、複数記録層のディスクにおいて、フォーマットの変更に記録再生装置がフレキシブルに対応できるようにするためには、ディスク毎に、各レイヤでのデータゾーンの最大アドレスが容易に確認できることが必要である。
【００１０】
具体例を挙げれば、ＤＶＤ＋Ｒ、ＤＶＤ＋ＲＷとしてのディスクでは、ＡＤＩＰ（Ａｄｄｒｅｓｓ  ｉｎ  ｐｒｅｇｒｏｏｖｅ）として知られるように、記録トラックをウォブリングさせることでアドレスや物理フォーマット情報を予め記録してある。
その物理フォーマット情報においては、データゾーンの先頭アドレスと最大アドレスが記録される。ところが２層ディスクの場合は、データゾーンが２つの記録層にまたがることで、論理的には中間的な位置となるレイヤ０の最大アドレスは記録されないことになる。従って、記録再生装置は、フォーマット規定されている最大アドレスを適用して動作を行うことになるが、その場合、フォーマット変更などに対応が難しい。
【００１１】
【課題を解決するための手段】
そこで本発明はこのような事情を考慮し、複数の記録層を有する記録可能型のディスクにおいて、各記録層でのユーザーデータの記録可能領域の最大位置を、記録再生装置が容易に確認できるようにすることを目的とする。
【００１２】
本発明の記録媒体は、データ記録が可能な複数の記録層を有するとともに、記録トラックとなるグルーブのウォブリングによって予めアドレス及び物理フォーマット情報が記録されている記録媒体において、上記各記録層におけるユーザーデータ記録可能な最大位置情報が、上記グルーブのウォブリングによる物理フォーマット情報として記録されているものである。
【００１３】
本発明の記録再生装置は、上記記録媒体に対する記録装置として、上記各記録層に対してデータ記録再生を行う記録再生手段と、上記グルーブのウォブリングによるアドレス及び物理フォーマット情報を読み出すグルーブ情報読出手段と、記録再生動作制御のために、上記グルーブ読出手段によって読み出された物理フォーマット情報から、ユーザーデータ記録可能な最大位置を確認する制御手段と、を備える。
また上記制御手段は、ユーザーデータ記録後の所定タイミングにおいて、上記物理フォーマット情報を含む管理情報を、上記記録再生手段により上記記録媒体の所定領域に記録させるとともに、上記管理情報に含ませる上記物理フォーマット情報の内容としての上記ユーザーデータ記録可能な最大位置情報は、実際のユーザーデータ記録状態に応じて値を変更する。
【００１４】
本発明の記録再生方法は、上記記録媒体に対する記録再生方法として、グルーブのウォブリングによるアドレス及び物理フォーマット情報を読み出すグルーブ情報読出ステップと、上記グルーブ読出ステップで読み出された物理フォーマット情報から、ユーザーデータ記録可能な最大位置を確認する確認ステップと、上記確認ステップで確認されたユーザーデータ記録可能な最大位置に基づいて、記録再生動作のための所定の制御を行う制御ステップとを備える。
また、さらに、ユーザーデータ記録後の所定タイミングにおいて、上記物理フォーマット情報を含む管理情報を上記記録媒体の所定領域に記録する管理情報記録ステップを有し、上記管理情報記録ステップでは、上記管理情報に含ませる上記物理フォーマット情報の内容としての上記ユーザーデータ記録可能な最大位置情報は、実際のユーザーデータ記録状態に応じて値を変更する。
【００１５】
即ち本発明では、例えばＤＶＤ＋Ｒ、ＤＶＤ＋ＲＷ等の記録可能型で、かつ複数の記録層を有する記録媒体において、ウォブリンググルーブによる物理フォーマット情報により、各記録層（レイヤ）のユーザーデータの記録可能領域（データゾーン）の最大アドレスが記録されるようにし、記録再生装置においては、その情報によって各レイヤのデータゾーンの最大アドレスが確認できるようにする。
【００１６】
【発明の実施の形態】
以下、本発明の実施の形態を、次の順序で説明する。
１．ディスク構成
１−１  記録層のエリア構造
１−２  ２層ディスク
１−３  ＡＤＩＰ構造
２．ディスクドライブ装置
２−１  装置構成
２−２  ライトワンスディスクに対するクローズ処理
２−３  リライタブルディスクに対するリードイン更新処理
２−４  ディスク挿入時の処理
３．変形例
【００１７】
１．ディスク構成
１−１  記録層のエリア構造
本実施の形態では、大容量ディスク記録媒体としてＤＶＤ（Ｄｉｇｉｔａｌ  Ｖｅｒｓａｔｉｌｅ  Ｄｉｓｃ）を例に挙げ、また後述するディスクドライブ装置は、ＤＶＤとしてのディスクに対して記録再生を行う装置とする。
ＤＶＤ方式のディスクにおいて、記録可能タイプとしては、ＤＶＤ＋Ｒ、ＤＶＤ−Ｒ、ＤＶＤ−ＲＷ、ＤＶＤ−ＲＷ、ＤＶＤ−ＲＡＭなどの複数の規格が存在する。ここでは、ライトワンスメディアであるＤＶＤ＋Ｒ、及びリライタブルディスクであるＤＶＤ＋ＲＷを例に挙げて説明していく。
【００１８】
例えば、ＤＶＤ＋Ｒ又はＤＶＤ＋ＲＷとしてのディスクがディスクドライブ装置（記録装置）にローディングされた時には、記録面上のウォブリンググルーブに刻まれたＡＤＩＰ（Ａｄｄｒｅｓｓ  ｉｎ  ｐｒｅ−ｇｒｏｏｖｅ）情報からディスクに固有な情報が読み出されて、ＤＶＤ＋Ｒ又はＤＶＤ＋ＲＷとしてのディスクであることが認識される。認識されたディスクは記録され、やがて記録装置から排出され、再び記録装置に装填されることもある。この時、再び同じ記録装置に装填される事もあれば、データ交換の為に他の記録装置や再生装置に装填される事もある。
このような使用形態を考慮し、ＤＶＤの論理フォーマットは装置間の記録互換、再生互換を円滑にする為に策定されている。
【００１９】
まず図１に、ＤＶＤ＋Ｒ、ＤＶＤ＋ＲＷの記録層のレイアウトを示す。
図示するように、ＤＶＤ＋Ｒ、ＤＶＤ＋ＲＷの記録層における論理的なデータレイアウトとしては、ディスク内周側から外周側にかけて、インフォメーションゾーン（Ｉｎｆｏｒｍａｔｉｏｎ  Ｚｏｎｅ）が形成される。このインフォメーションゾーンは、データの記録互換、再生互換を確保するために必要な情報を全て含んでいる領域である。
インフォメーションゾーンは、１つ或いは複数のセッションを含むものとなる。
【００２０】
インフォメーションゾーンは主に以下の５つの領域から構成される。
▲１▼インナードライブエリア
▲２▼リードインゾーン（リードインエリアともいう）
▲３▼データゾーン（データエリアともいう）
▲４▼リードアウトゾーン（リードアウトエリアともいう）
▲５▼アウタードライブエリア
【００２１】
ここで、リードインゾーン、データゾーン、リードアウトゾーンは、再生専用装置でも支障なくアクセスできる領域にある。
インナードライブエリアとアウタードライブエリアは記録装置専用の領域である。情報の記録を行う時には、正しい記録マークが形成できるように記録時のレーザーパワーを調整しなくてはならない。このため、最適記録条件を求めるためのテスト記録に使用できるテストゾーンと記録条件にかかわる管理情報を記録できる領域が、インナードライブエリアとアウタードライブに形成される。そしてテストゾーンはテスト記録により記録状態が不均一になることから、再生専用装置で支障なくアクセスできる保障はないので、再生専用装置がアクセスできないところに配置されている。
【００２２】
フィジカルセクターナンバ（ＰＳＮ：Ｐｈｙｓｉｃａｌ  Ｓｅｃｔｏｒ  Ｎｕｍｂｅｒ，  物理セクターナンバ）は、ディスク上の絶対位置情報として付与されている。
図示するように、例えばディスク内周側から外周側に掛けてフィジカルセクターナンバの値は増加されていく。ＤＶＤ＋Ｒの場合、ＰＳＮ＝２ＦＦＦＦｈ（ｈを付した数値は１６進表現）がリードインゾーンの終端とされ、ＰＳＮ＝３０００ｈからデータゾーンが開始される。
データゾーンは、基本的にはユーザーデータの書込が行われる領域であり、またリードインゾーンは、管理情報の書込が行われる。またリードアウトゾーンは例えば再生専用ディスクとの互換維持などの目的からダミーデータの書込が行われる。
【００２３】
また、ＤＶＤ＋Ｒ、ＤＶＤ＋ＲＷにおいてはインフォメーションゾーンの全体はデータ書込可能な領域であり、記録トラックとしてウォブリンググルーブが形成されている。グルーブに沿ってトラッキングを行うことで、ピット（色素変化ピットマーク又は相変化ピットマーク）が形成されていない未記録領域において、記録時に適切にトラックをトレースできる。
また、グルーブがウォブリングされていることでＡＤＩＰ情報が記録されている。上記フィジカルセクターナンバＰＳＮは、ＡＤＩＰアドレスとしてインフォメーションゾーンに記録されているものとなる。
後述するが、ＡＤＩＰ情報としては、ＡＤＩＰアドレス以外にＰＦＩ（フィジカルフォーマットインフォメーション）と呼ばれる物理フォーマット情報も記録される。
特に図示するように、リードインゾーンとなる位置におけるＡＤＩＰ情報として、ＰＦＩが繰り返し記録されている。
【００２４】
ところで、ＤＶＤ＋Ｒ、ＤＶＤ＋ＲＷとしての記録可能型ディスクについて、再生専用ディスクとの互換性を望む場合（再生専用装置でも再生可能とする場合）、クローズ処理を行い、リードインゾーン、未記録部分が残っていないデータゾーン、及びリードアウトゾーンから成るセッション構成（「セッション」は「ボーダー」といわれる場合もある）で記録を完結する必要がある。
ＤＶＤ＋Ｒのようなライトワンスメディアの場合は、記録装置によってデータゾーンへのユーザーデータの書込を行った後、セッション（或いはディスク全体）をクローズ（ファイナライズ）する際に、リードインゾーンに適切な管理情報を記録すること、及びデータゾーンにおいてユーザーデータの書込が行われなかった領域をダミーデータ（リードアウト）で埋め尽くすことで、当該メディアについて他の再生装置でも再生できるようにする。換言すれば、クローズしていない状態（オープン状態）では、リードインゾーンに適切な管理情報が未だ書かれていないため、その時点では再生互換性は無い。また、データエリアにおいてピットが形成されていない未記録領域があると、再生専用装置において適切なトレースができなくなることからダミーデータの書込が行われる。なお、これは記録済領域と未記録領域ではトラッキングエラー検出方式が異なり、再生専用装置では未記録領域でのトラッキングエラー方式に対応していないことによる。
【００２５】
このようにライトワンスディスクの場合、必要なユーザーデータの書込を完了し、新たな書込を行わない時点でクローズ処理することで再生互換性が得られる。そしてその場合は、新たな書込はできないものとなる。一方、オープン状態は、再生互換性は得られていないものの、まだ新たなデータ書込が可能な状態にあるものである。
なお、リライタブルディスクの場合は、一旦ファイナライズしても、消去を行うことで新たなデータ記録は可能である。
【００２６】
ところでこのような事情は、一度ＤＶＤ＋Ｒとしてのディスクにセッション構成で記録を完結してしまうと、残りの部分が未記録であっても、その未記録部分を永久に利用できなくなってしまうという、ライトワンスディスク特有の問題を生じさせる。
そこで、未記録とされた残りの領域が無駄になるシングルセッションレイアウトの問題を補完し、再生専用装置を最小限に変更するだけで再生互換を確保するマルチセッションの概念が導入されている。
【００２７】
ＤＶＤ＋Ｒの場合、マルチセッションディスクでは、最大１９１番目までの複数のセッションが存在できる。
各セッションは、
▲１▼イントロ（Ｉｎｔｒｏ）
▲２▼データゾーン
▲３▼クロージャ（Ｃｌｏｓｕｒｅ）
から構成される。
そして１つのセッションは、オープニング（オープン処理）によりデータ記録が可能になり、クロージング（クローズ処理）により完結する。
【００２８】
ディスク上に未記録のデータゾーンが残っていれば、オープニングによりセッションを追加できる。その時、新しいセッションに内側のセッションのデータを論理的にインポートする事ができる。イントロとクロージャはそれぞれ、先に説明したリードインとリードアウトに類似した役割をする。この２つの領域は、次のセッションが完結して、リードインゾーンやリードインゾーンの情報が更新される間で、一時的に現状の情報を記憶し、属性としては通常のデータとして記録するものなので異なる名称が用いられている。
【００２９】
図２にセッションレイアウトを示す。
図２（ａ）はシングルセッション構成を示す。
インフォメーションゾーンにおいて、リードインゾーンに続いてユーザーデータが記録されるユーザーデータエリアが形成され、ユーザーデータの後にリードアウトが形成される。
図２（ｂ）はマルチセッション構成を示す。
インフォメーションゾーンにおいて、リードインゾーンからリードアウトゾーンまでの領域に、先頭から順に、セッション＃１、セッション＃２・・・セッション＃Ｎが形成されていく。
最初のセッション＃１は、リードインゾーン、ユーザーデータエリア、クロージャで形成される。
セッション＃２は、イントロ、ユーザデータエリア、クロージャで形成される。
最後のセッション＃Ｎは、イントロ、ユーザーデータエリア、リードアウトゾーンで形成される。
【００３０】
上記図１と比較することで理解されるが、マルチセッションディスクの場合、先頭のセッション＃１は図１のデータゾーンに先行するリードインゾーンを含むものとなる。
また最後のセッション＃Ｎは、図１のデータゾーンに後続するリードアウトゾーンを含むものとなる。
そして、上記のように１つのセッションは、リードインゾーン、データゾーン、及びリードアウトゾーンにより完結する必要があるが、マルチセッションディスクの場合、全てのセッションが、リードインゾーン及びリードアウトゾーンを含むことはできなくなるため、イントロ及びクロージャとしての領域が形成されるものである。
例えばセッション＃１ではリードアウトゾーンに換えてクロージャが形成され、またセッション＃２では、リードインゾーンに代わるイントロ及びリードアウトゾーンに代わるクロージャが形成され、最後のセッション＃Ｎではリードインゾーンに代わるイントロが設けられる。
そして、図２に示すセッション＃１のユーザーデータエリアから、セッション＃Ｎのユーザーデータエリアまでは、図１で言うデータゾーンに含まれることになる。つまりイントロ及びクロージャは図１で言うデータゾーン内であり、これが上記したように、イントロ及びクロージャが、属性として通常のデータとして記録される理由となる。
【００３１】
１−２  ２層ディスク
ここで、記録可能型のＤＶＤにおいて、２つの記録層を有する２層ＤＶＤを考えると、色素変化記録膜もしくは相変化記録膜としての記録層を比較的小さな間隔を置いて２層積層した構造を有するものとなる。
図３には、ディスク１において、２つの記録層としてレイヤ０、レイヤ１を積層した状態を模式的に示している。
このような２層ディスクの記録時においては、ディスクドライブ装置の光ピックアップ３から対物レンズ３ａを介して出射するレーザ光をいずれかの記録層に絞り込み、その記録層に信号を記録する。
対物レンズ３側から見て、レイヤ０が近い方の記録層、レイヤ１が遠い方の記録層となる。
【００３２】
２層ディスクの場合、パラレルトラックパスとオポジットトラックパスという２つの記録方式が考えられる。
図４にパラレルトラックパスの場合を示す。
なお、上記したように物理セクターナンバＰＳＮ（Ｐｈｙｓｉｃａｌ  Ｓｅｃｔｏｒ  Ｎｕｍｂｅｒ）はディスク盤面上に記録されている実アドレスである。これに対して論理ブロックアドレスＬＢＡ（Ｌｏｇｉｃａｌ  Ｂｌｏｃｋ  Ｎｕｍｂｅｒ）はコンピューターで扱う論理的なデータの並びに対して付けられるアドレスである。このＰＳＮとＬＢＡは一対一に対応される。
【００３３】
図４（ａ）に示すパラレルトラックパスの場合、レイヤ０、１ともに、内周側から外周側にかけてリードインエリア、データエリア、リードアウトエリアが形成される。
そしてデータの記録はレイヤ０の内周のＳｔａｒｔ  ＰＳＮ（＝３００００ｈ）から始まりレイヤ０のデータエリアの最終であるＥｎｄ  ＰＳＮ（０）まで記録される。その、続きはレイヤ１の内周側のＳｔａｒｔ  ＰＳＮ（＝３００００ｈ）から外周側のＥｎｄ  ＰＳＮ（１）までという記録順序で記録が行われる。
論理ブロックアドレスＬＢＡは、図４（ｂ）に示すように、レイヤ０の内周側から外周側まで、さらにレイヤ１の内周側から外周側までという方向性で、順番に連続に割り振られる。
【００３４】
オポジットトラックパスの場合は図５に示される。オポジットトラックパスとされるディスクでは、レイヤ０の内周から始まりレイヤ０の終わりまで記録した後に、レイヤ１の外周から内周へ向かう記録順序となる。
図５（ａ）に示すように、オポジットトラックパスの場合、レイヤ０では内周側から外周側にかけてリードインエリア、データエリア、ミドルエリアが形成される。またレイヤ１では外周側から内周側にかけて、ミドルエリア、データエリア、リードアウトエリアが形成される。
そしてデータの記録はレイヤ０の内周のＳｔａｒｔ  ＰＳＮ（＝３００００ｈ）から始まりレイヤ０のデータエリアの最終であるＥｎｄ  ＰＳＮ（０）まで記録される。その続きはレイヤ１のデータエリアの外周側（反転Ｅｎｄ  ＰＳＮ（０））から内周側のＥｎｄ  ＰＳＮ（１）までという記録順序となる。
論理ブロックアドレスＬＢＡは、図５（ｂ）に示すように、レイヤ０の内周側から外周側まで連続に割り振られた後、レイヤ１では折り返すように外周側から内周側までという方向性で、順番に連続に割り振られる。
【００３５】
このようにパラレルトラックパスとオポジットトラックパスでは、データの物理的な格納方法（順番）の違いがある。
また、オポジットトラックパスの場合、層間折り返し部分より外周にはミドルエリアが付加される。これは次の理由による。オポジットトラックパスの場合は、レイヤ０にリードインエリアが形成され、レイヤ１にリードアウトエリアが形成される。このためデータエリアの外周側には、リードインエリア／リードアウトエリアが形成されない。一方で、再生専用装置ではディスク盤面に記録したピットを読むので、ピットの無い領域ではサーボもかからずデータを安定して読み出す事ができない。その為にガードとなる領域が必要になる。この必要性から、外周側にミドルエリアが形成され、例えばダミーデータが記録されて、リードアウトエリアと同様の機能が持たされるものとしている。
【００３６】
１−３  ＡＤＩＰ構造
ウォブリンググルーブとして記録されるＡＤＩＰ情報の構造を説明する。
図６（ａ）はウォブリングの単位を示す。１ウォブルは３２チャンネルビットの区間に相当し、８ウォブルと８５モノトーンウォブルの９３ウォブルで１つのＡＤＩＰユニットを有する単位が形成される。
８５モノトーンウォブルは、変調されていない８５波のウォブル区間である。そして先頭の８ウォブルが、情報に応じて位相変調されたウォブルとされていることで、１つのＡＤＩＰユニットとしての情報を備える。
【００３７】
図６（ｂ）はＡＤＩＰワードの構造を示している。
上記のように８ウォブルで１つのＡＤＩＰユニットが形成されるが、そのＡＤＩＰユニットが５２個集められて１つのＡＤＩＰワードが形成される。
図６（ｂ）における「ｗｏｂｂｌｅ  ０」「ｗｏｂｂｌｅ  １  ｔｏ  ３」「ｗｏｂｂｌｅ  ４  ｔｏ  ７」は、上記ＡＤＩＰユニットとしての８ウォブルの各ウォブルを示している。
ＡＤＩＰワードの先頭のＡＤＩＰユニットはシンクユニットとされ、「ｗｏｂｂｌｅ  ０」及び「ｗｏｂｂｌｅ  １  ｔｏ  ３」が、ワードシンクとして位相変調されたウォブルとされる。
ＡＤＩＰワードにおける２番目以降のＡＤＩＰユニットは、それぞれデータユニットとされ、「ｗｏｂｂｌｅ  ０」によりビットシンクが、また「ｗｏｂｂｌｅ  ４  ｔｏ  ７」がデータビット（つまりデータとしての「１」又は「０」）を表すものとされる。
５２ＡＤＩＰユニットで構成される１つのＡＤＩＰワードは４フィジカルセクターの区間に相当する。
そして４ＡＤＩＰワードでＡＤＩＰ情報としての１つのＥＣＣブロックが形成される。
【００３８】
図７はＥＣＣブロックを構成する４つのＡＤＩＰワードを示している。
１つのＡＤＩＰワードからは、上記のようにワードシンクを除いて５１ビットのデータが抽出されるが（データビット１〜５１）、データビット２〜２３によってＡＤＩＰアドレスが記録される。
またデータビット２４〜３１はＡＵＸデータとされる。
またデータビット３２〜５１はＥＣＣパリティとされる。
データビット２〜２３によるＡＤＩＰアドレスは、インフォメーションゾーンの全体にわたって記録される。
【００３９】
リードインゾーンにおけるＡＤＩＰ情報としては、１つのＡＤＩＰワードにつき１バイトのＡＵＸデータ（１ＥＣＣ単位で４バイトのＡＵＸデータ）によってＰＦＩ（フィジカルフォーマットインフォメーション）が記録される。
このＰＦＩは、２５６バイトで１つの情報単位とされる。つまり、１ＥＣＣブロック毎に４バイト得られるＡＵＸデータが２５６バイト集められて、図８のようなＰＦＩが読み出される。このようなＰＦＩが、リードインゾーンにおいてＡＵＸデータを用いて繰り返し記録されている。
【００４０】
図８にＰＦＩの内容を示すように、ＰＦＩには、それぞれ所定のバイト位置に、ディスクカテゴリ／バージョンナンバ、ディスクサイズ、ディスク構造（Ｄｉｓｃ  ｓｔｒｕｃｔｕｒｅ）、記録密度（Ｒｅｃｏｒｄｉｎｇ  Ｄｅｎｓｉｔｙ）、データゾーンアロケーション、ディスクアプリケーションコード、エクステンデッドインフォメーションインジケータ、ディスクマニファクチャーＩＤ、メディアタイプＩＤ・・・など、各種物理フォーマット情報が含まれている。
このＰＦＩによって、ディスク種別、サイズ、ゾーン構成、その他、記録再生動作の際の線速度情報など、ディスクに関する各種情報が得られる。
【００４１】
バイト位置４〜１５のデータゾーンアロケーションの情報を図９に詳しく示す。
図９に示すように、バイト位置５〜７の３バイトには、データゾーンの先頭ＰＳＮ（Ｐｈｙｓｉｃａｌ  Ｓｅｃｔｏｒ  Ｎｕｍｂｅｒ）が記録される。
バイト位置９〜１１の３バイトには、データゾーンの最大ＰＳＮが記録される。
そして本例の２層ディスク（ＤＶＤ＋Ｒ、ＤＶＤ＋ＲＷ）においては、特に、バイト位置１３〜１５の３バイトに、レイヤ０のデータゾーンの最大ＰＳＮが記録されるようにする。つまりレイヤ０でデータゾーンとして使用できる最大位置である。
【００４２】
これらの情報で示される各ＰＳＮを、上記図４、図５の２層ディスクでいうと次のようになる。
データゾーンの先頭ＰＳＮは、図４，図５における「Ｓｔａｒｔ  ＰＳＮ」を示す。
データゾーンの最大ＰＳＮは、図４，図５における「Ｅｎｄ  ＰＳＮ（１）」を示す。
レイヤ０の最大ＰＳＮは、図４，図５における「Ｅｎｄ  ＰＳＮ（０）」を示す。
つまり、本例においては、レイヤ０の最大ＰＳＮがＰＦＩに記録されることで、レイヤ０のユーザーデータの記録可能領域の最大アドレスが提示される。またレイヤ１についてはデータゾーンの最大ＰＳＮによってユーザーデータの記録可能領域の最大アドレスが提示されるため、結局、レイヤ０の最大ＰＳＮとしての情報がＰＦＩに含まれることで、各記録層におけるデータゾーンの最大アドレスが、ＰＦＩから判別できるものとなる。
【００４３】
即ち本実施の形態では、ＤＶＤ＋Ｒ、ＤＶＤ＋ＲＷ等の記録可能型で、かつ複数の記録層を有する記録媒体において、ウォブリンググルーブによる物理フォーマット情報により、各記録層（レイヤ）のユーザーデータの記録可能領域（データゾーン）の最大アドレスが記録されるようにしており、これによって記録再生装置においては、その情報によって各レイヤのデータゾーンの最大アドレスが確認できるようにしている。
【００４４】
２．ディスクドライブ装置
２−１  装置構成
上記のような２層ディスク（２層ＤＶＤ＋Ｒ、２層ＤＶＤ＋ＲＷ等）に対応する本実施の形態のディスクドライブ装置を図１０で説明する。
図１０は本例のディスクドライブ装置の要部のブロック図である。
ディスク１は、図示しないターンテーブルに積載され、記録再生動作時においてスピンドルモータ２によって一定線速度（ＣＬＶ）もしくは一定角速度（ＣＡＶ）で回転駆動される。そしてピックアップ３によってディスク１にエンボスピット形態、色素変化ピット携帯、或いは相変化ピット形態などで記録されているデータの読み出しが行なわれることになる。
【００４５】
ピックアップ３内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系、対物レンズをトラッキング方向及びフォーカス方向に移動可能に保持しり二軸機構などが形成される。
またピックアップ３全体はスライド駆動部４によりディスク半径方向に移動可能とされている。
【００４６】
ディスク１からの反射光情報はフォトディテクタによって検出され、受光光量に応じた電気信号とされてＲＦアンプ８に供給される。
ＲＦアンプ８には、ピックアップ３内の複数のフォトディテクタからの出力電流に対応して電流電圧変換回路、マトリクス演算／増幅回路等を備え、マトリクス演算処理により必要な信号を生成する。例えば再生データであるＲＦ信号、サーボ制御のためのフォーカスエラー信号ＦＥ、トラッキングエラー信号ＴＥなどを生成する。
ＲＦアンプ８から出力される再生ＲＦ信号は再生信号処理部９へ、フォーカスエラー信号ＦＥ、トラッキングエラー信号ＴＥはサーボ制御部１０へ供給される。
【００４７】
なお、記録可能型のディスクの記録済領域及びＲＯＭタイプディスクでは、トラッキングエラー信号はＤＰＤ方式で検出される。一方、記録可能型ディスクの未記録領域では、トラッキングエラー信号はプッシュプル方式で検出される。このためＲＦアンプ８におけるトラッキングエラー信号の生成方式は、ディスク種別やディスク上のエリア（記録済／未記録）に応じて切り換えられる。
【００４８】
また記録可能型のディスクでは、ウォブリンググルーブによってトラックが形成されている。上述のようにグルーブのウォブルによってＡＤＩＰ情報が記録されている。ウォブル成分は、ＲＦアンプ８において例えばプッシュプル信号として得ることができ、このプッシュプル信号は、ＡＤＩＰ情報の検出のためにウォブルデコーダ１６に供給される。
【００４９】
ＲＦアンプ８で得られた再生ＲＦ信号は再生信号処理部９において、２値化、ＰＬＬクロック生成、ＥＦＭ＋信号（８−１６変調信号）に対するデコード処理、エラー訂正処理等が行われる。
再生信号処理部９は、ＤＲＡＭ１１を利用してデコード処理やエラー訂正処理を行う。なおＤＲＡＭ１１は、ホストインターフェース１３から得られたデータを保存したり、ホストコンピューターに対してデータ転送する為のキャッシュとしても用いられる。
そして再生信号処理部９は、デコードしたデータをキャッシュメモリとしてのＤＲＡＭ１１に蓄積していく。
このディスクドライブ装置からの再生出力としては、ＤＲＡＭ１１にバファリングされているデータが読み出されて転送出力されることになる。
【００５０】
また再生信号処理部９では、ＲＦ信号に対するＥＦＭ＋復調並びにエラー訂正により得られた情報の中から、サブコード情報やアドレス情報、さらには管理情報や付加情報を抜き出しており、これらの情報をコントローラ１２に供給する。
【００５１】
また、ウォブルデコーダ１６では、プッシュプル信号からウォブリンググルーブによるＡＤＩＰ情報（ディスク種別によってはＬＰＰ情報、ＡＴＩＰ情報、セクターＩＤ情報など）のデコードを行い、ウォブリンググルーブで記録されたアドレス情報（ＡＤＩＰアドレス）や物理フォーマット情報（ＰＦＩ）を抽出してコントローラ１２に供給する。
【００５２】
コントローラ１２は、例えばマイクロコンピュータで形成され、装置全体の制御を行う。
ホストインターフェース１３は、外部のパーソナルコンピュータ等のホスト機器と接続され、ホスト機器との間で再生データやリード／ライトコマンド等の通信を行う。
即ちＤＲＡＭ１１に格納された再生データは、ホストインターフェース１３を介してホスト機器に転送出力される。
またホスト機器からのリード／ライトコマンドや記録データ、その他の信号はホストインターフェース１３を介してＤＲＡＭ１１にバッファリングされたり、コントローラ１２に供給される。
【００５３】
ホスト機器からライトコマンド及び記録データが供給されることでディスク１に対する記録が行われる。
データの記録時においては、ＤＲＡＭ１１にバッファリングされた記録データは、変調部１４において記録のための処理が施される。即ちエラー訂正コード付加、ＥＦＭ＋変調などの処理が施される。
そしてこのように変調された記録データがレーザ変調回路１５に供給される。レーザ変調回路１５は、記録データに応じてピックアップ３内の半導体レーザを駆動し、記録データに応じたレーザ出力を実行させ、ディスク１にデータ書込を行う。
【００５４】
この記録動作時においては、コントローラ１２は、ディスク１の記録領域に対してピックアップ３から記録パワーでレーザー光を照射するように制御される。
ディスク１が色素変化膜を記録層としたライトワンス型のものである場合は、記録パワーのレーザ照射により、色素変化によるピットが形成されていく。
またディスク１が相変化記録層のリライタブルディスクは、レーザー光の加熱によって記録層の結晶構造が変化し、相変化ピットが形成されていく。つまりピットの有無と長さを変えて各種のデータが記録される。また、ピットを形成した部分に再度レーザー光を照射すると、データの記録時に変化した結晶状態が加熱によって元に戻り、ピットが無くなってデータが消去される。
【００５５】
サーボ制御部１０は、ＲＦアンプ８からのフォーカスエラー信号ＦＥ、トラッキングエラー信号ＴＥや、再生信号処理部９もしくはコントローラ１２からのスピンドルエラー信号ＳＰＥ等から、フォーカス、トラッキング、スレッド、スピンドルの各種サーボドライブ信号を生成しサーボ動作を実行させる。
即ちフォーカスエラー信号ＦＥ、トラッキングエラー信号ＴＥに応じてフォーカスドライブ信号、トラッキングドライブ信号を生成し、フォーカス／トラッキング駆動回路６に供給する。フォーカス／トラッキング駆動回路６は、ピックアップ３における二軸機構のフォーカスコイル、トラッキングコイルを駆動することになる。これによってピックアップ３、ＲＦアンプ８、サーボ制御部１０、フォーカス／トラッキング駆動回路６、二軸機構によるトラッキングサーボループ及びフォーカスサーボループが形成される。
【００５６】
なおフォーカスサーボをオンとする際には、まずフォーカスサーチ動作を実行しなければならない。フォーカスサーチ動作とは、フォーカスサーボオフの状態で対物レンズを強制的に移動させながらフォーカスエラー信号ＦＥのＳ字カーブが得られる位置を検出するものである。公知の通り、フォーカスエラー信号のＳ字カーブのうちのリニア領域は、フォーカスサーボループを閉じることで対物レンズの位置を合焦位置に引き込むことのできる範囲である。従ってフォーカスサーチ動作として対物レンズを強制的に移動させながら、上記の引込可能な範囲を検出し、そのタイミングでフォーカスサーボをオンとすることで、以降、レーザースポットが合焦状態に保持されるフォーカスサーボ動作が実現されるものである。
【００５７】
また本例の場合、ディスク１は、上述のようにレイヤ０，レイヤ１としての２層構造となっている場合がある。
当然ながら、レイヤ０に対して記録再生を行う場合はレーザ光はレイヤ０に対して合焦状態となっていなければならない。またレイヤ１に対して記録再生を行う場合はレーザ光はレイヤ１に対して合焦状態となっていなければならない。
このようなレイヤ０，１間でのフォーカス位置の移動はフォーカスジャンプ動作により行われる。
フォーカスジャンプ動作は、一方のレイヤで合焦状態にあるときに、フォーカスサーボをオフとして対物レンズを強制的に移動させ、他方のレイヤに対するフォーカス引込範囲内に到達した時点（Ｓ字カーブが観測される時点）でフォーカスサーボをオンとすることで実行される。
【００５８】
サーボ制御部１０はさらに、スピンドルモータ駆動回路７に対してスピンドルエラー信号ＳＰＥに応じて生成したスピンドルドライブ信号を供給する。スピンドルモータ駆動回路７はスピンドルドライブ信号に応じて例えば３相駆動信号をスピンドルモータ２に印加し、スピンドルモータ２の回転を実行させる。またサーボ制御部１０はコントローラ１２からのスピンドルキック／ブレーキ制御信号に応じてスピンドルドライブ信号を発生させ、スピンドルモータ駆動回路７によるスピンドルモータ２の起動、停止、加速、減速などの動作も実行させる。
【００５９】
またサーボ制御部１０は、例えばトラッキングエラー信号ＴＥの低域成分として得られるスライドエラー信号や、コントローラ１２からのアクセス実行制御などに基づいてスライドドライブ信号を生成し、スライド駆動回路５に供給する。スライド駆動回路５はスライドドライブ信号に応じてスライド駆動部４を駆動する。スライド駆動部４には図示しないが、ピックアップ３を保持するメインシャフト、スレッドモータ、伝達ギア等による機構を有し、スライド駆動回路５がスライドドライブ信号に応じてスライド駆動部４を駆動することで、ピックアップ３の所要のスライド移動が行なわれる。
【００６０】
レーザー変調回路１５は、上述のように記録時には記録データに応じたレーザ光がピックアップ３内のレーザダイオードから出力されるように駆動を行うが、記録時にはハイレベルのレーザパワーにおいて、記録レーザによって変調されたレーザ出力を実行させ、再生時にはローレベルのレーザパワーで継続的なレーザ出力を実行させる。
このためレーザ変調回路１５内は、記録データに応じてレーザ変調信号や波形整形を行うライトストラテジ回路と、レーザダイオードを駆動するレーザ駆動回路と、さらにレーザパワーを一定に制御するパワーコントロール回路を有する。
【００６１】
再生時及び記録時のレーザパワーとしては、所定の再生レーザパワー及び記録レーザパワーが安定して出力されるようにレーザパワー制御が行われる。即ち図示していないが、ピックアップ内のモニタディテクタからはレーザ変調回路１５内のパワーコントロール回路にはレーザパワーのモニタ信号が供給され、パワーコントロール回路は、モニタ信号を基準レベル（再生レーザパワー或いは記録レーザパワーとしての設定レベル）と比較することでレーザ駆動回路の出力を制御し、レーザダイオードから出力されるレーザパワーを安定化する。
また、再生レーザパワー及び記録レーザパワーはディスク１に応じて最適値に設定されなければならない。このためコントローラ１２は、例えばディスク１が装填された際などには、ディスク１に対して試し書き記録／再生を行い、レーザパワー最適値を探索する処理を実行させる。例えばレーザパワーを段階的に変化させながらジッターやエラーレートを調べ、最適なレーザパワーを探索する。そして探索された最適値としての記録レーザパワー、再生レーザパワーを、レーザ変調回路１５内のパワーコントロール回路に、上記の基準レベルとしてセットする。これによって記録時及び再生時において、最適なレーザパワー制御が行われる。
なお、２層ディスクにおいては、最適なレーザパワーは記録層毎に設定される。従って、最適なレーザパワー設定のための処理は、各記録層毎に行われる。
【００６２】
２−２  ライトワンスディスクに対するクローズ処理
上述したように本例のディスク１は、ＡＤＩＰ情報としてのＰＦＩにより各記録層のデータゾーンの最大アドレス（最大ＰＳＮ）が記録されており、ディスクドライブ装置では、例えばディスク１が挿入された際に、そのＰＦＩにより各記録層においてデータゾーンとして使用できる最大アドレスを判別できる。
ここで、ディスク挿入時にディスクドライブ装置が実行する処理、即ち各記録層でデータゾーンとして使用できる最大アドレスを確認する処理については後述することとし、まず、ユーザーデータの記録後におけるクローズ処理又はリードイン更新処理を説明する。
【００６３】
まず、ここでは、ライトワンスディスク（ＤＶＤ＋Ｒ）に対するセッションクローズ処理を述べる。
図１１にはセッションクローズ処理としてのコントローラ１２が実行する処理を示している。
例えば装填されたディスク１のデータゾーンにユーザーデータを記録した後、ホスト機器からの指示に応じてセッションクローズを行う場合や、例えばマルチセッション記録において、或るセッションに対するセッションクローズがホスト機器から指示された場合の処理となる。
【００６４】
ホスト機器からセッションクローズが指示（セッションクローズコマンドの発行）されると、コントローラ１２の処理は図１１のステップＦ１０１でセッションクローズが必要と判断し、ステップＦ１０２に進む。
ステップＦ１０２では、セッションクローズを指示されたセッションが、記録層を跨いでデータ記録されたものであるか否かを判断する。つまりレイヤ０からレイヤ１にかけてユーザーデータ記録が行われたセッションであるか否かを判断する。
そしてコントローラ１２は、記録層を跨いでいないと判断した場合は、ステップＦ１０６に移行して、当該セッションについてセッションクローズ処理を行う。即ちユーザーデータの終端に隣接して例えばダミーデータによるリードアウトを形成するとともに、リードイン（又はイントロ）を記録する。図２からわかるように、シングルセッション、又はマルチセッションのセッション＃１についてのクローズ処理であれば、リードインを記録する。一方、マルチセッションのセッション＃２以降の或るセッションのクローズ処理であれば、イントロを記録することになる。
そしてリードイン又はイントロに記録する管理情報としては、記録されたユーザーデータのファイル情報や、ＡＤＩＰ情報としてディスク装填時等に読み出されていたＰＦＩ（物理フォーマット情報）を含むものとなる。つまりＰＦＩの内容は、そのままリードイン（イントロ）の管理情報の一部とされる。従ってＰＦＩ内の「レイヤ０の最大ＰＳＮ」の値も、変更されない。
【００６５】
ステップＦ１０２で、セッションクローズを指示されたセッションが、記録層を跨いでデータ記録されたものであると判断された場合、ステップＦ１０３に進み、ＡＤＩＰ情報として得られていた「レイヤ０の最大ＰＳＮ」の値と、実際にレイヤ０においてユーザーデータを記録した最終アドレスを比較する。
ユーザーデータを記録した最終アドレスが、「レイヤ０の最大ＰＳＮ」の値と一致した場合は、レイヤ０においてデータゾーンが最大限利用されてユーザーデータが記録された場合であり、また、一致していない場合とは、レイヤ０のデータゾーンが最大限使用されずに、レイヤ１への記録に移行した場合である。
【００６６】
上記比較の結果、一致していた場合はステップＦ１０４からＦ１０６に進み、セッションクローズ処理を行う。
即ちユーザーデータの終端に隣接して例えばダミーデータによるリードアウトを形成するとともに、ＰＦＩとしての内容を含むリードイン（又はイントロ）を記録する。このときも、ＰＦＩにおける「レイヤ０の最大ＰＳＮ」は変更されない。
【００６７】
ところが、ステップＦ１０３での比較の結果、一致していなければ、ステップＦ１０４からＦ１０５に進み、読み込んであるＰＦＩにおける「レイヤ０の最大ＰＳＮ」の値を、実際のユーザーデータが記録された最終アドレスの値に変更する。
そしてステップＦ１０６のセッションクローズ処理として、ユーザーデータの終端に隣接して例えばダミーデータによるリードアウトを形成するとともに、ＰＦＩとしての内容を含むリードイン（又はイントロ）を記録する。従ってこの場合、リードイン（又はイントロ）の管理情報として記録されるＰＦＩにおける「レイヤ０の最大ＰＳＮ」は、実際のユーザーデータ記録状況に即して変更されたものとなる。
【００６８】
以上のように、ライトワンスディスクに対するセッションクローズ時においては、記録層を跨いだセッションのクローズ処理の際には、レイヤ０のユーザーデータ記録の終端が、ＡＤＩＰのＰＦＩの「レイヤ０の最大ＰＳＮ」と異なるものとなった場合は、リードイン又はイントロとしての管理情報には、「レイヤ０の最大ＰＳＮ」が変更された状態でのＰＦＩ内容が含まれるようにするものとなる。
【００６９】
２−３  リライタブルディスクに対するリードイン更新処理
次に、リライタブルディスク（ＤＶＤ＋ＲＷ）に対するリードイン更新処理を述べる。
例えば装填されたディスク１のデータゾーンにユーザーデータを記録した後、ホスト機器からの指示があった場合やディスク排出を行う場合には、リードインにおける管理情報の更新処理が行われる。
さらには、ディスク１をファイナライズする場合も、リードインの更新が行われる。
図１２には、これら、各種機会としてリードイン更新処理を行う場合のコントローラ１２が実行する処理を示している。
【００７０】
ホストからのリードイン更新指示があった場合、或いはディスク排出指示があった場合、或いはホストからのファイナライズ指示があった場合は、コントローラ１２の処理はリードイン更新タイミングと判断して図１２のステップＦ２０１からＦ２０２に進む。
【００７１】
ステップＦ２０２では、今回のリードイン更新がファイナライズ処理の一環で行われるものであるか否かを判断する。
ファイナライズではない場合は、ステップＦ２０２からＦ２０６に進み、リードイン更新を行う。即ち、記録されたユーザーデータのファイル情報として、その時点での記録状況を反映させた管理情報をリードインゾーンに記録する。又この際、ＰＦＩとしての内容も管理情報に記録されるが、この場合、管理情報における「レイヤ０の最大ＰＳＮ」は、ＡＤＩＰ情報として得られた値から変更されない。
【００７２】
一方、ファイナライズ処理の一環としてのリードイン更新であるなら、ステップＦ２０２からＦ２０３に進み、まずその時点で、レイヤ０においてユーザーデータを記録した最終アドレスと、ＡＤＩＰ情報におけるＰＦＩから得られていた「レイヤ０の最大ＰＳＮ」の値とを比較する。
上記比較の結果、一致していた場合はステップＦ２０４からＦ２０６に進み、リードイン更新を行う。即ち、記録されたユーザーデータのファイル情報として、最終的な記録状況を反映させた管理情報をリードインゾーンに記録する（或いはリードインを更新する）。又この際、ＰＦＩとしての内容も管理情報に記録されるが、この場合、管理情報における「レイヤ０の最大ＰＳＮ」は、ＡＤＩＰ情報として得られた値から変更されない。
【００７３】
ところが、ステップＦ２０３での比較の結果、一致していなければ、ステップＦ２０４からＦ２０５に進み、読み込んであるＰＦＩにおける「レイヤ０の最大ＰＳＮ」の値を、実際のユーザーデータが記録された最終アドレスの値に変更する。
そしてステップＦ２０６のリードイン更新処理として、最終的なユーザーデータ記録状況を反映させた管理情報をリードインゾーンに記録（更新）する。またこの管理情報に含まれるＰＦＩの内容として、「レイヤ０の最大ＰＳＮ」は、ステップＦ２０５で変更された値となる。つまり実際のユーザーデータ記録状況に即して変更されたものとなる。
【００７４】
以上のように、リライタブルディスクに対するリードイン更新処理においては、そのディスクがファイナライズされる場合であり、しかもレイヤ０のユーザーデータ記録の終端が、ＡＤＩＰのＰＦＩの「レイヤ０の最大ＰＳＮ」と異なるものとなった場合は、リードインとしての管理情報には、「レイヤ０の最大ＰＳＮ」が変更された状態でのＰＦＩ内容が含まれるようになる。
【００７５】
２−４  ディスク挿入時の処理
ディスクドライブ装置にディスク１が挿入された際の処理を図１３で説明する。
ディスク１が装填されると、まずステップＦ３０１として、光学ヘッド３がディスク内周側の位置に機械的に移送される。
次にステップＦ３０２では、ディスク内周位置において光学ヘッド３からレーザ照射を行うとともに、対物レンズをフォーカス方向に強制的に移動させ、同様に記録層数やディスク種別を判別する。
公知の通り、対物レンズをフォーカス方向に強制的に移動させると、記録層に対する合焦点付近で、反射光情報として得られるフォーカスエラー信号には、Ｓ字カーブが観測される。これを利用すれば、Ｓ字カーブの観測によってディスクの記録層の数やディスク種別が判別できる。
例えば対物レンズをディスクから最も遠い位置から最も近い位置まで移動させた期間（或いはその逆方向に移動させた期間）において、Ｓ字カーブが１回観測されれば、１層ディスク、２回観測されれば２層ディスクと判断できる。
また、例えばＣＤ、ＤＶＤ、ＳＡＣＤなどの各種ディスクでは、ディスク厚み方向での記録層の位置や、複数記録層の間隔などがそれぞれ異なるため、フォーカスサーチ動作中におけるＳ字カーブ観測タイミングや複数のＳ字カーブの発生間隔などから、ディスク種別が判別できる。
なお、記録可能ディスクを想定した記録再生装置では、記録済／未記録領域での反射率の違いも想定して観測を行うようにされており、反射率が低く、Ｓ字カーブが小振幅となった場合にも正確に観測できるように設計されている。
従って記録層による反射率の差などからＲＯＭタイプか、リライタブルか、ライトワンスかの違いも検出可能である。また、このことから、グルーブディスクでのピットの有無（記録済／未記録）の判定も可能となる。
【００７６】
ステップＦ３０２の判別処理によってグルーブディスクではない、つまり再生専用ディスクと判別された場合はステップＦ３０３からＦ３０６に進んでピットによるリードイン管理情報読出を行う。
一方、グルーブディスク、つまり記録可能型のディスクであると判別された場合は、ステップＦ３０３からＦ３０４に進んで、まずリードインゾーンのウォブリンググルーブによって記録されている物理フォーマット情報、即ちＰＦＩの読出を行う。
本例のディスク１が装填されていた場合は、コントローラ１２は、ＰＦＩを読み込むことによって、図８の各種情報が判別でき、特には図９のデータゾーンアロケーションの情報により、データゾーンの先頭ＰＳＮ、データゾーンの最大ＰＳＮ、及びレイヤ０の最大ＰＳＮを知ることができる。
【００７７】
ここで、上記ステップＦ３０２の判別処理で、その記録可能型のディスクのリードインゾーンが、ピット未記録であると判定されていた場合は、ステップＦ３０５からＦ３０７に進んで、上記ＡＤＩＰのＰＦＩによって読み出された「レイヤ０の最大ＰＳＮ」の値を、実際のレイヤ０の最大ＰＳＮとして確認する。
つまり、リードインゾーン書込がまだ行われていない状態のディスク（ブランクディスクを含む）については、コントローラ１２は、ＡＤＩＰ情報としての「レイヤ０の最大ＰＳＮ」の値から、そのディスク１について実際のレイヤ０の最大ＰＳＮを判別する。
【００７８】
上記ステップＦ３０２の判別処理で、記録可能型のディスクのリードインゾーンがピット記録済（リードイン管理情報が書込済）であると判定されていた場合は、ステップＦ３０５からＦ３０６に進んで、リードインゾーンにピットとして記録された管理情報の読出を行う。なお、ライトワンスディスクであってマルチセッション記録の場合において、２つ目以降のセッションが存在すれば、それらのセッションのイントロの情報も読み込むことになる。
上記図１１，図１２の処理からわかるように、リードイン又はイントロでの管理情報にはＰＦＩの内容が含まれる。
そしてステップＦ３０６で管理情報を読み出した場合は、ステップＦ３０８で、その管理情報に記録されているＰＦＩ内容での、「レイヤ０の最大ＰＳＮ」の値を、実際のレイヤ０の最大ＰＳＮとして確認する。
つまり、クローズ処理によりリードイン（又はイントロ）の管理情報書込が行われたライトワンスディスクや、リードインゾーン書込が１回でも行われたリライタブルディスクについては、コントローラ１２は、ＡＤＩＰ情報としての「レイヤ０の最大ＰＳＮ」の値から、そのディスク１について実際のレイヤ０の最大ＰＳＮを判別する。
【００７９】
以上のように、コントローラ１２は、記録可能型ディスクが装填された場合には、まずＡＤＩＰ情報を読み込むため、そのＡＤＩＰ情報によるＰＦＩから、各レイヤの最大アドレスを確認できる。
従って、各レイヤのデータゾーンの最大アドレスを正確に確認した上でユーザーデータの記録処理を行う。例えばユーザーデータ記録範囲、再生範囲、アクセス限度設定などの動作制御の際に、各レイヤのデータゾーンの最大アドレスの情報を参照して処理を行う。
【００８０】
そしてこのように、レイヤ０のデータゾーンとして使用できる最大ＰＳＮを取得できることは、ディスク単位で各レイヤのデータゾーンの最大アドレスを判別できることになり、従って将来のフォーマットの拡張・変更によるデータゾーンの変更があってもディスクドライブ装置側で容易に対応できる。つまり、ＡＤＩＰのＰＦＩから得られたデータゾーンアロケーションの情報に基づいて記録再生動作制御を行うことで、ディスク毎のデータゾーンフォーマットに対応した動作が実行される。
そして各レイヤのデータゾーンの最大ＰＳＮを知ることにより、ディスクドライブ装置では、アドレスサーチの際の移動制限や、ユーザーデータ記録過程での層間折り返し位置制御など、適切な動作制御が可能となる。
【００８１】
なお、上述した「レイヤ０の最大ＰＳＮ」は、ＡＤＩＰのＰＦＩ情報を拡張して記録したものであるため、ディスクドライブ装置側では、ハードウエア上の構成変更は不要であり、ＰＦＩ内容の認識処理のためのソフトウエアを変更するのみでよい。
【００８２】
また、図１３の処理からわかるように、ＰＦＩがリードイン（又はイントロ）の管理情報に反映された後は、その管理情報におけるＰＦＩのデータゾーンアロケーションの情報（「レイヤ０の最大ＰＳＮ」等）から、各レイヤの最大ＰＳＮを確認する。そして、レイヤ０の記録が完了されている状態（クローズ又はファイナライズ）において、レイヤ０の最大ＰＳＮは、実際のユーザーデータ記録の最終アドレスが反映された値となっている。従って、ユーザーデータ記録及びその確定によってレイヤ０の最大ＰＳＮが変化してしまった後も、コントローラ１２は正確な最大ＰＳＮを確認できる。これによって的確な再生制御が可能となる。
【００８３】
また、データゾーンの変更に容易に対応できることは述べたが、これはディスクサイズの変更にも対応できることも意味する。例えばディスクサイズ規格の追加（直径８ｃｍディスクなど）による容量変更にも対応できる。
【００８４】
３．変形例
本発明としての変形例や適用例は、各種考えられる。
まずＤＶＤ方式の２層の記録可能タイプのディスクとしてＤＶＤ＋Ｒ、ＤＶＤ＋ＲＷを挙げて述べたが、もちろん同様にＤＶＤ−Ｒ、ＤＶＤ−ＲＷ、ＤＶＤ−ＲＡＭなどとしての２層ディスクについても、適用できる。
また、ＤＶＤ方式のディスクに限らず、ＣＤ方式、ブルーレイディスク方式など、他の種のディスク、さらにはディスク以外のメディアでも、複数記録層の記録媒体として、本発明は有用である。
また本発明での２層ディスクとは、いわゆる張り合わせの両面ディスクについても含むものである。
【００８５】
さらに、実施の形態では２層ディスクとしたが、３層以上の記録層を有する記録媒体においても、本発明が好適であることは言うまでもない。
上記図９のようなデータゾーンアロケーションの情報によれば、最後の記録層のデータゾーンの最大アドレスは、「データゾーンの最大ＰＳＮ」として記録される。従って、Ｎ層ディスクであれば、第１層から第（Ｎ−１）層についてのそれぞれの最大ＰＳＮが、ＰＦＩに記録されればよい。
例えば図８のＰＦＩ構造においてリザーブバイト（ｓｅｔ  ｔｏ  （００）とされているバイト）を利用して、各層のデータゾーンの最大ＰＳＮが記録されるように定義されればよい。
【００８６】
なお、ディスクにおいてＡＤＩＰ情報としての「レイヤ０の最大ＰＳＮ」を含むデータゾーンアロケーションの情報は、リードインゾーンにおけるＡＵＸデータとして構築されるＰＦＩにおいて記録されることに限定されるものではない。例えばデータゾーンその他におけるＡＤＩＰ情報によって、データゾーンアロケーションの情報が記録されても良い。
【００８７】
【発明の効果】
以上の説明から理解されるように本発明の記録媒体は、ウォブリンググルーブによる物理フォーマット情報により、各記録層（レイヤ）のユーザーデータの記録可能領域（データゾーン）の最大アドレスが記録される。従って記録再生装置においては、その情報によって各レイヤのデータゾーンの最大アドレスが確認できる。つまり記録再生装置側では、ディスク毎に、そのディスクの各レイヤのデータゾーンの最大アドレスが確認でき、それに応じて記録再生動作制御を行えばよい。
これによっては、将来的なフォーマットの拡張・変更によるデータゾーンの変更に対応することが容易となるという効果がある。
また各レイヤでの記録範囲、アクセス時の移動制限など、記録再生動作に伴う制御を、確認した最大アドレスに基づくことで、多様なフォーマット（データゾーン範囲）の記録媒体が併存しても記録再生装置は対応できる。
また、ウォブリンググルーブにより記録される物理フォーマット情報を拡張して各レイヤのデータゾーンの最大アドレスを記録するものであるため、本発明の記録再生装置、記録再生方法の実現の際には、特別な読出動作やハードウエア構成を必要としないという利点もある。
【００８８】
またユーザーデータ記録後の所定タイミングにおいて、上記物理フォーマット情報を含む管理情報を、記録媒体の所定領域に記録させるとともに、その管理情報に含ませる物理フォーマット情報の内容としての上記ユーザーデータ記録可能な最大位置情報は、実際のユーザーデータ記録状態に応じて値を変更することで、記録後の各レイヤの最大アドレスが管理情報（リードイン）に反映される。従って再生時には、その管理情報から最大アドレスを確認して適正な制御が可能となる。
【図面の簡単な説明】
【図１】ディスクのエリア構造及びＰＳＮの説明図である。
【図２】ライトワンスディスクのセッション構造の説明図である。
【図３】２層ディスクの説明図である。
【図４】パラレルトラックパスの説明図である。
【図５】オポジットトラックパスの説明図である。
【図６】ＡＤＩＰ情報の説明図である。
【図７】ＡＤＩＰのＥＣＣブロック単位の説明図である。
【図８】ＡＤＩＰによるＰＦＩの説明図である。
【図９】ＡＤＩＰによるＰＦＩのデータゾーンアロケーションの説明図である。
【図１０】実施の形態の記録再生装置のブロック図である。
【図１１】実施の形態のライトワンスディスクに対するクローズ処理のフローチャートである。
【図１２】実施の形態のリライタブルディスクに対するリードイン更新処理のフローチャートである。
【図１３】実施の形態のディスク挿入時の処理のフローチャートである。
【符号の説明】
１  ディスク、２  スピンドルモータ、３  光ピックアップ、８  ＲＦアンプ、９  再生信号処理部、１０  サーボ制御部、１１  ＤＲＡＭ、１２  コントローラ、１３  ホストインターフェース、１４  変調部、１５  レーザ変調回路、１６  ウォブルデコーダ
【図１】
2005018919.tif 000003
【図２】
2005018919.tif 000004
【図３】
2005018919.tif 000005
【図４】
2005018919.tif 000006
【図５】
2005018919.tif 000007
【図６】
2005018919.tif 000008
【図７】
2005018919.tif 000009
【図８】
2005018919.tif 000010
【図９】
2005018919.tif 000011
【図１０】
2005018919.tif 000012
【図１１】
2005018919.tif 000013
【図１２】
2005018919.tif 000014
【図１３】
2005018919.tif 000015